(57)【要約】【課題】  シリンダとフィンガーグリップを合成樹脂で一体構造にし、かつ簡単にストッパー抜け止め手段を装着できるようにし、製造コストを廉価にする【解決手段】  容器兼用注射器１Ａは、合成樹脂製のシリンダ２に一体成形されたフィンガーグリップ４の後端部に、シリンダ２の内径より大径のテーパ穴に形成された装着穴９が設けられ、シリンダ２の内径より小径でプランジャーロッド６の軸部より大径の挿通穴１０ｃを有する合成樹脂製のストッパー抜け止め部材１０が、そのテーパ軸１０ａを装着穴９に装着され、ストッパー抜け止め部材１０とフィンガーグリップ４との間に、テーパ軸１０ａが装着穴９に装着後にそれから離脱するのを防止する係止手段８Ａが設けられている。係止手段８Ａはストッパー抜け止め部材９のテーパ軸１０ａの外周に、その軸方向に沿い周方向に間隔をあけて一体に設けたリブ（突条）１０ｂで構成される。【選択図】      図３
2006043479.tif 000002
【特許請求の範囲】
【請求項１】
後端にフィンガーグリップを一体に成形した合成樹脂製のシリンダと、該シリンダの先端に設けた筒先と、前記シリンダ内に往復動可能に挿入され、シリンダ内に充填した薬剤を封止するストッパーと、前記シリンダの後端からシリンダ内に挿入されて前記ストッパーを往復動させるプランジャーロッドとを備えると共に、前記フィンガーグリップの後端部に前記シリンダの内径より大径の装着穴が設けられ、前記シリンダの内径より小径で前記プランジャーロッドの軸部より大径の挿通穴を有する合成樹脂製の環状のストッパー抜け止め部材が前記装着穴に装着され、該ストッパー抜け止め部材と前記フィンガーグリップとの間に、ストッパー抜け止め部材が前記装着穴への装着後にそれから離脱するのを防止する係止手段が設けられた容器兼用注射器であって、
前記装着穴は、前記フィンガーグリップの後端面側が緩やかに広くなるテーパ穴に形成され、前記ストッパー抜け止め部材の外周部が該テーパ穴に整合するテーパ軸に形成されると共に、前記係止手段が、前記テーパ軸の軸方向に沿いかつ周方向に所定間隔をあけてテーパ軸の外周に設けられた複数の突条からなることを特徴とする容器兼用注射器。
【発明の詳細な説明】
【技術分野】
【０００１】
本発明は、薬剤を予め充填、保管しておき使用時に包装から取り出して直ぐに使用する容器兼用注射器に関するものである。
【背景技術】
【０００２】
薬剤を充填されて提供される容器兼用注射器は、通常の使用方法ではプランジャーロッドを押し込んで薬剤封止用のストッパーを移動させることにより、注射器内の薬剤を筒先から注射針等を通して投与したり、輸液回路等に混注したりすることが主であり、プランジャーロッドを引き戻すことは少ない。
しかしながら、注射器内に別の医薬品を吸引して２種以上の医薬品を混合して注射する混注の場合や血管内に注射する時のフラッシュバック（注射針が正しく血管内に入っているかを確認するために、一度プランジャーロッドを引き戻すことにより、血液を注射器内に吸引する行為）や、コネクターを介して輸液回路に薬剤を混注する場合等にプランジャーロッドを引き戻す操作を行う。特に、輸液回路に医薬品を注入する時等は、薬剤を回路まで到達させるために、プランジャーロッドを何回も押し引きして分岐回路の途中にある薬剤を送り込む等の操作をすることがある。このような操作を行うと、注射器のシリンダからプランジャーロッドと一緒にストッパーが抜けてしまうことがある。このため、容器兼用注射器には、そのシリンダの後端部に前記ストッパーが誤ってシリンダから抜け出ないようにストッパー抜け止め手段が設けられている。
【０００３】
従来の容器兼用注射器として、シリンダの後端に外径の小さな円形状のフランジを一体に設け、該フランジに、それとは別に製造された充分な大きさの指掛部を有するフィンガーグリップを装着し、該フィンガーグリップの後端側のプレートに設けた前記シリンダの内径より僅かに小径に形成した穴の内周縁部を環状のストッパー抜け止め手段としたもの（例えば、特許文献１参照）や、シリンダの後端部に、シリンダとは別に製造された円筒部の後端部に充分な大きさの指掛部を結合してなるフィンガーグリップを、前記円筒部を介して装着し、前記指掛部の中心に設けた前記シリンダの内径より小径に形成した穴の内周縁部を環状のストッパー抜け止め手段としもの（例えば、特許文献２参照）が知られている。
【特許文献１】特許第２８１４９８３号公報
【特許文献２】特開２０００−３３４０４３号公報
【発明の開示】
【発明が解決しようとする課題】
【０００４】
しかし、前記容器兼用注射器は、いずれも、シリンダとは別に製造されたストッパー抜け止め手段を有するフィンガーグリップを組立工程でシリンダに装着するものであるので、フィンガーグリップの指掛部の位置とシリンダの外周部に表示された目盛やマーク等との位置を整合させた組立作業を要する等のために、製作が複雑となってコスト高になる問題がある。そこで、シリンダとフィンガーグリップとを合成樹脂によって一体成形し、その際、フィンガーグリップ側のシリンダ内に中心部に向けて突出した環状突縁を形成して、これをストッパー抜け止め手段とすることも考えられるが、軟質の合成樹脂であればアンダーカット（無理抜き）構造により前記環状突縁を成形することも可能であるが、環状ポリオレフィンのような硬質の合成樹脂の場合には、前記アンダーカット構造により環状突縁を一体成形することは技術的に難しく、製造コストが大幅に増大する問題がある。
【０００５】
本発明は、上記事情に鑑みてなされたものであって、シリンダとフィンガーグリップを合成樹脂で一体構造にし、かつ簡単にストッパー抜け止め手段を装着することができ、製造コストが廉価で済む容器兼用注射器を提供することを目的とする。  
【課題を解決するための手段】
【０００６】
前記課題を解決するために、本発明に係る容器兼用注射器は、後端にフィンガーグリップを一体に成形した合成樹脂製のシリンダと、該シリンダの先端に設けた筒先と、前記シリンダ内に往復動可能に挿入され、シリンダ内に充填した薬剤を封止するストッパーと、前記シリンダの後端からシリンダ内に挿入されて前記ストッパーを往復動させるプランジャーロッドとを備えると共に、前記フィンガーグリップの後端部に前記シリンダの内径より大径の装着穴が設けられ、前記シリンダの内径より小径で前記プランジャーロッドの軸部より大径の挿通穴を有する合成樹脂製の環状のストッパー抜け止め部材が前記装着穴に装着され、該ストッパー抜け止め部材と前記フィンガーグリップとの間に、ストッパー抜け止め部材が前記装着穴への装着後にそれから離脱するのを防止する係止手段が設けられた容器兼用注射器であって、前記装着穴は、前記フィンガーグリップの後端面側が緩やかに広くなるテーパ穴に形成され、前記ストッパー抜け止め部材の外周部が該テーパ穴に整合するテーパ軸に形成されると共に、前記係止手段が、前記テーパ軸の軸方向に沿いかつ周方向に所定間隔をあけてテーパ軸の外周に設けられた複数の突条からなることを特徴としている。
【発明の効果】
【０００７】
本発明によれば、以下の優れた効果を奏する。
すなわち、合成樹脂製のシリンダに一体に成形したフィンガーグリップの後端部に前記シリンダの内径より大径の装着穴が設けられ、前記シリンダの内径より小径でプランジャーロッドの軸部より大径の挿通穴を有する合成樹脂製の環状のストッパ抜け止め部材が前記装着穴に装着され、該ストッパ抜け止め部材と前記フィンガーグリップとの間に、ストッパ抜け止め部材が前記装着穴への装着後にそれから離脱するのを防止する係止手段が設けられた構成とされているので、硬質の合成樹脂製のシリンダとフィンガーグリップが一体成形された容器兼用注射器に対しても、前記フィンガーグリップにストッパ抜け止め部材を容易に装着、保持させて、ストッパ抜け止め機能を確実に付与することができる。
【０００８】
また、シリンダ内に環状突縁を設けてストッパ抜け止め機能を付与する必要がないので、金型がアンダーカット（無理抜き）構造とならずに済み、前記シリンダとフィンガーグリップの合成樹脂による成形を容易に行うことができる。しかも、シリンダとフィンガーグリップとが合成樹脂で一体成形により構成されているので、従来のように、組立工程において、シリンダにこれと別に製造されたフィンガーグリップを、その指掛け部の位置とシリンダの外周部に設けたマーク等の位置とを合わせながら組み付けるといった操作が不要であり、製作が容易となって製作コストを低廉にすることができる。
さらに、装着穴がフィンガーグリップの後端面側が緩やかに広くなるテーパ穴に形成され、ストッパー抜け止め部材の外周部が前記テーパ穴に整合するテーパ軸に形成されると共に、係止手段が、前記テーパ軸の軸方向に沿いかつ周方向に所定間隔をあけてテーパ軸の外周に設けられた複数の突条からなる構成とされているので、構造が極めて簡単となって製作が一層容易であり、ストッパー抜け止め部材のフィンガーグリップへの組み付けも極めて簡単に行うことができる。
【発明を実施するための最良の形態】
【０００９】
以下、本発明の一実施の形態に係る容器兼用注射器について添付図面を参照して説明する。
先ず、図１、図２を参照して本発明に先立って発案されたストッパー抜け止め部材を設けた容器兼用注射器１について説明する。
この容器兼用注射器１は、円筒状のシリンダ２と、該シリンダ２の先端に設けたルアーロック部３ａを有する筒先３と、前記シリンダ２の後端に設けたフィンガーグリップ４と、前記シリンダ２内にその軸方向に移動可能に挿入され、シリンダ内に充填した薬液（薬剤）を封止するストッパー５と、前記シリンダ２内にその後端側から挿入されて先端部を前記ストッパー５に連結され、該ストッパ５をシリンダ２の軸方向に往復動させるプランジャーロッド６と、前記フィンガーグリップ４の後端部に装着されたストッパー抜け止め部材７とを備えている。
【００１０】
前記シリンダ２と筒先３とフィンガーグリップ４は、環状ポリオレフィン、ポリカーボネイト等の硬質の合成樹脂で一体成形によって製作されている場合が有効であるが、特に材質を特定するものではない。
前記フィンガーグリップ４は、図２で示す後面視で輪郭が円弧状辺を有する矩形板状に形成され、その長辺方向（図２で上下方向）の両側部分が指掛部４ａ，４ａとされ、中心部には前記シリンダ２の穴部２ａの直径（シリンダ２の内径）より大径の装着穴４ｂが設けられている。また、前記フィンガーグリップ４の後端４ｃには、前記装着穴４ｂの直径方向の外側に位置して、前記長辺方向に直角な短辺方向に平行な一対の段部４ｄ，４ｄが設けられ、該段部４ｄ，４ｄには、そのシリンダ２の軸方向における端部であって段部４ｄ，４ｄの前記短辺方向の略中央の位置に、前記指掛部４ａ，４ａの方向（シリンダ２の直径方向の両外側）に突き出した後面視でシリンダ２の軸心を中心とする円弧状の一対の突起部４ｅ，４ｅが一体に設けられている。
【００１１】
また、前記ストッパー抜け止め部材７は、前記フィンガーグリップ４の装着穴４ｂに外周部を嵌合、装着された環状部材７ａと、該環状部材７ａの後端外周部に一体に結合された平板状のフランジ部材７ｂとを備え、ポリエチレン、ポリプロピレン等の比較的に柔軟性、弾力性がある合成樹脂で一体成形によって構成されている。そして、前記環状部材７ａの中心には、その内端側（図１で左端側）に、前記シリンダ２の内径より小径で前記プランジャーロッド６の軸部の外径より大径の最小内径を有し、該最小内径部から外端側（図１で右端側）に向けて内径を拡大したテーパ状の挿通穴７ｃが設けられている。なお、前記挿通穴７は平行状の穴であってもよい。
【００１２】
前記フランジ部材７ｂは、前記フィンガーグリップ４よりやや小さく、それと略相似形に形成され、長辺方向をフィンガーグリップ４の長辺方向と一致された状態で、前面７ｄがフィンガーグリップ４の段部４ｄの後端面４ｆに当接されている。前記フランジ部材７ｂには、その長辺方向の両側（図２で上下の両側）に、前記フィンガーグリップの段部４ｄ，４ｄに近接してそれに沿った切欠面７ｇ、７ｇを有し、前記フィンガーグリップ４の後端４ｃ側（図１で左方側）へ突き出した突出部７ｅ，７ｅが設けられている。該突出部７ｅ，７ｅには、前記フィンガーグリップ４の円弧状の突起部４ｅ，４ｅが嵌合する一対の円弧状の係止溝７ｆ，７ｆが形成されている。
前記フィンガーグリップ４の突起部４ｅ，４ｅと前記ストッパー抜け止め部材７の係止溝７ｆ，７ｆとは、ストッパー抜け止め部材７と前記フィンガーグリップ４との間にあって、ストッパ抜け止め部材７の環状部材７ａが前記フィンガーグリップ４の装着穴４ｂに装着された後にそれから離脱するのを防止する係止手段８を構成している。
【００１３】
前記容器兼用注射器１においては、その使用に際に、前記プランジャーロッド６をシリンダ２の軸方向に押し引き動作をすることにより注射、またはその他の所要の操作を行う。そのとき、前記ストッパー抜け止め部材７の環状部材７ａが前記フィンガーグリップ４の装着穴４ｂに嵌合され、かつフランジ部材７ｂの係止溝７ｆにフィンガーグリップ４の突起部４ｅが嵌合されることにより、前記ストッパー抜け止め部材７が前記フィンガーグリップ４に装着されているので、誤って前記プランジャーロッド６を後方へ異常に引き戻し過ぎた場合には、前記ストッパー５は、その後端部が前記ストッパー抜け止め部材７の前端面に当接されるため、前記シリンダ２から抜け出てしまうことはない。
【００１４】
前記容器兼用注射器１によれば、前記環状部材７ａを装着穴４ｂに嵌合してフィンガーグリップ４に装着した前記ストッパー抜け止め部材７を、前記フィンガーグリップ４とストッパー抜け止め部材７に設けた突起部４ｅ，４ｅと係止溝７ｆ，７ｆとからなる係止手段８によってフィンガーグリップ４にしっかりと保持させることができ、不用意に前記ストッパー５がシリンダ２から抜け出るのを確実に防止することができる。そして、前記ストッパー抜け止め部材７は、軟質の合成樹脂で形成されているので、フィンガーグリップ４に装着する際には、その弾力変形によって前記突起部４ｅ，４ｅに対する係止溝７ｆ，７ｆの嵌合が容易に行え、嵌合後に不用意に外れることがない。
【００１５】
なお、前記ストッパー抜け止め部材７は、その環状部材７ａの装着穴４ｂに対する嵌合部ではストッパー５の抜ける方向の大きな引き戻し力を支えることができないので、前記突起部４ｅ，４ｅと係止溝７ｆ，７ｆとの嵌合部が前記引き戻し力を支えることとなるが、その大きさに応じて突起部４ｅ，４ｅと係止溝７ｆ，７ｆとの嵌合部の面積を変えることにより、前記嵌合部における所要の係止強度を保つことができる。前記嵌合部の面積を大きくする場合、前記突起部４ｅ，４ｅと係止溝７ｆ，７ｆとを嵌合させる際、大きな力を要することになるが、前記ストッパー抜け止め部材７が合成樹脂であることから、適度に加温することにより柔軟性を与えて容易に嵌合させることができる。このため、硬質の合成樹脂製のシリンダ２にストッパー抜け止め部材７を組み立てる際に、該シリンダ２に大きな力が掛からず、欠けやひび割れ等を起こさずに組立を安全に行うことができ、組立後は、前記ストッパー抜け止め部材７は常温での樹脂特性がそのまま発揮されて使用時に抜け止め機能を十分に果たすことができる。
【００１６】
また、前記シリンダ２の穴部２ａには、その中心部に向けて突出した環状突縁を形成して、これをストッパー抜け止め部材とするものではないので、硬質の合成樹脂によってシリンダ２とフィンガーグリップ４とを一体成形によって構成する場合であっても、金型がアンダーカット（無理抜き）構造とならずに済み、成形を容易に行うことができる。しかも、前記シリンダ２とフィンガーグリップ４とが合成樹脂で一体成形により構成されているので、従来のように、組立工程において、シリンダ２にこれと別に製造されたフィンガーグリップを、その指掛け部の位置とシリンダ２の外周部に設けたマーク等の位置とを合わせながら組み付けるといった操作が不要であり、製作が容易となって製作コストを低廉にすることができる。
【００１７】
次に、本発明の一実施の形態に係る容器兼用注射器１Ａを図３、図４を参照して説明する。
この容器兼用注射器１Ａは、前記フィンガーグリップ４の中心に、該フィンガーグリップ４の後端４ｃ側が緩やかに広くなるテーパ穴に形成された装着穴９が設けられ、該装着穴９に、外周部が装着穴９のテーパ穴に整合するテーパ軸１０ａに形成された環状部材からなるストッパー抜け止め部材１０が嵌合して装着され、該ストッパー抜け止め部材１０のテーパ軸１０ａの外周にその軸方向（図３で左右方向）に沿いかつ周方向に所定間隔をあけて一体に設けた複数のリブ（突条）１０ｂが、前記容器兼用注射器１の係止手段８に代わる係止手段８Ａとして構成されたものである。前記ストッパー抜け止め部材１０は、その中心に、前記シリンダ２の内径より小径で前記プランジャーロッド６の軸部の外径より大径に形成された平行状の挿通穴１０ｃが設けられ、前記容器兼用注射器１のストッパー抜け止め部材７と同様な柔軟性、弾力性を有する合成樹脂で成形されている。
その他の構成は前記容器兼用注射器１と同様であるので、同一の部分には同一の符号を付してそれらの説明は省略する。
【００１８】
この実施の形態に係る容器兼用注射器１Ａにおいては、フィンガーグリップ４の装着穴９とストッパー抜け止め部材１０の外周部とが、互いに整合するテーパ穴とテーパ軸１０ａとなっているので、前記装着穴９へストッパー抜け止め部材１０を押し込むことによって容易に嵌合させることができると共に、その嵌合の際、前記ストッパー抜け止め部材１０のリブ１０ｂが装着穴９の内面によって押し潰されるように弾性変形しながら装着穴９内に圧入され、圧入後変形したリブ１０ｂの復元力にもとづいて装着穴９との間に生じる摩擦力が作用するので、ストッパー抜け止め部材１０が装着穴９から簡単に抜け出ないように保持される。
また、前記ストッパー抜け止め部材１０は、前記ストッパー抜け止め部材７の場合と同様に、適度な加温により僅かな押し込み力で前記装着穴９へ嵌合させ、使用時の抜け強度を得るようにすることができる。
そして、この実施の形態に係る容器兼用注射器１Ａによれば、前記容器兼用注射器１と同様の作用、効果を奏するほかに、構造が極めて簡単となって製作が一層容易であり、ストッパー抜け止め部材１０のフィンガーグリップ４への組み付けも極めて簡単に行うことができる。
なお、前記ストッパー抜け止め部材１０の外周部はテーパ軸１０ａとするのが好ましいが、これに限らず、平行軸としてもよい。
また、前記一実施の形態に係る容器兼用注射器１Ａにおいては、前記筒先３をルアーロック部３ａを有しないルアーチップ型のものとしてもよい。
【図面の簡単な説明】
【００１９】
【図１】ストッパー抜け止め部材を設けた容器兼用注射器を一部断面で示した側面図である。
【図２】同じく拡大後面図である。
【図３】本発明の一実施の形態に係る容器兼用注射器を一部断面で示した側面図である。
【図４】同じく後面図である。
【符号の説明】
【００２０】
１，１Ａ  容器兼用注射器
２  シリンダ
３  筒先
４  フィンガーグリップ
４ｂ，９  装着穴
４ｅ  突起部
５  ストッパー
６  プランジャーロッド
７，１０  ストッパー抜け止め部材
７ｃ，１０ｃ  挿通穴
７ｅ  突出部
７ｆ  係止溝
８，８Ａ  係止手段
１０ａ  テーパ軸
１０ｂ  リブ（突条）
【図１】
2006043479.tif 000003
【図２】
2006043479.tif 000004
【図３】
2006043479.tif 000005
【図４】
2006043479.tif 000006